(57)【要約】【課題】コンタクトの保持を阻害することなくコンタクトの狭ピッチ化を可能にしたコネクタを提供すること。【解決手段】コネクタのコンタクト群は、互いに間隔をおいて配列された細長い４本のコンタクト１６−１，１６−２を備えている。４本のコンタクトはそれぞれコンタクト幅を変化させる異形部としての突起部３４を有する。突起部の位置は、４本のコンタクトの配列の中心から見て対称であるが、コンタクトの長手方向で異なるものがある。【選択図】図４
2013084472.tif 000002
【特許請求の範囲】
【請求項１】
コネクタのコンタクト群であって、互いに間隔をおいて配列された細長い４本のコンタクトを含み、前記４本のコンタクトはそれぞれコンタクト幅を変化させる異形部を有し、前記異形部の位置は、前記４本のコンタクトの配列の中心から見て対称であるが、コンタクトの長手方向で異なるものがあることを特徴とするコンタクト群。
【請求項２】
前記４本のコンタクトのうち中間の２本のコンタクトとその両側の２本のコンタクトとに前記長手方向で位置が異なる折曲部を設け、前記一端側では前記４本のコンタクトを一列に配置すると共に、前記他端側では中間の２本のコンタクトと両側の２本のコンタクトとを異なる列に配置した、請求項１に記載のコンタクト群。
【請求項３】
前記４本のコンタクトのうち中間の２本のコンタクトのピッチを、前記長手方向における一端側に比べて他端側で大になした、請求項２に記載のコンタクト群。
【請求項４】
前記ピッチを大にした部分を、前記折曲部よりも前記他端側に設けた、請求項３に記載のコンタクト群。
【請求項５】
前記異形部は、前記コンタクトの各々の幅を広げる突起部である、請求項１から４のいずれか一項に記載のコンタクト群。
【請求項６】
前記突起部は、前記長手方向での位置が、中間の２本のコンタクトとその両側のコンタクトとで異なっている、請求項５に記載のコンタクト群。
【請求項７】
前記突起部は、前記コンタクトの各々にその中心から見て対称に複数形成されている、請求項５又は６に記載のコンタクト群。
【請求項８】
前記異形部は、前記コンタクトの各々の幅を狭める切欠部である、請求項１に記載のコンタクト群。
【請求項９】
前記切欠部は、前記長手方向での位置が、中間の２本のコンタクトとその両側のコンタクトとで異なっている、請求項８に記載のコンタクト群。
【請求項１０】
前記切欠部は、前記コンタクトの各々にその中心から見て非対称に複数形成されている、請求項８又は９に記載のコンタクト群。
【請求項１１】
請求項１から１０のいずれか一項に記載のコンタクト群と、前記コンタクト群をインサートモールドにより保持したモールド材とを含むことを特徴とするコネクタ。
【請求項１２】
互いに間隔をおいて配列された細長い４本のコンタクトを含むコネクタにおいて、前記４本のコンタクトはそれぞれコンタクト幅を増大させる突起部を有し、前記突起部は、中間の２本のコンタクトの中心から見て対称であるが、中間の２本のコンタクトとその両側の２本のコンタクトとではコンタクトの長手方向で異なる位置に設けられていることを特徴とするコネクタ。
【請求項１３】
互いに間隔をおいて配列された細長い４本のコンタクトを含むコネクタにおいて、前記４本のコンタクトはそれぞれコンタクト幅を減少させる切欠部を有し、前記切欠部は、中間の２本のコンタクトの中心から見て対称であるが、各コンタクト内ではコンタクトの長手方向で異なる位置に複数設けられていることを特徴とするコネクタ。
【請求項１４】
互いに間隔をおいて配列された細長い４本のコンタクトを含むコネクタにおいて、前記４本のコンタクトのうち中間の２本のコンタクトとその両側の２本のコンタクトとにコンタクトの長手方向で位置が異なる折曲部を設け、前記長手方向での一端側では前記４本のコンタクトを一列に配置すると共に、前記長手方向での他端側では中間の２本のコンタクトと両側の２本のコンタクトとが異なる列に配置し、中間の２本のコンタクトの配列の中心から見て対称であり、かつ、各コンタクトの中心から見ても対称となるように、前記４本のコンタクトの各々に突起部を設けたことを特徴とするコネクタ。
【請求項１５】
互いに間隔をおいて配列された細長い４本のコンタクトを含むコネクタにおいて、前記４本のコンタクトのうち中間の２本のコンタクトとその両側の２本のコンタクトとにコンタクトの長手方向で位置が異なる折曲部を設け、前記長手方向での一端側では前記４本のコンタクトが一列に配置すると共に、前記長手方向での他端側では中間の２本のコンタクトと両側の２本のコンタクトとが異なる列に配置し、中間の２本のコンタクトの配列の中心から見て対称であるが、各コンタクトの中心から見て非対称となるように、前記４本のコンタクトの各々に切欠部を設けたことを特徴とするコネクタ。
【請求項１６】
互いに間隔をおいて配列された細長い４本のコンタクトを含むコネクタにおいて、前記４本のコンタクトのうち中間の２本のコンタクトとその両側の２本のコンタクトとにコンタクトの長手方向で位置が揃った折曲部を設け、前記長手方向での一端側及び他端側の各々で前記４本のコンタクトを一列に配置し、中間の２本のコンタクトの配列の中心から見て対称であり、かつ、各コンタクトの中心から見ても対称となるように、前記４本のコンタクトの各々に突起部を設けたことを特徴とするコネクタ。
【請求項１７】
互いに間隔をおいて配列された細長い４本のコンタクトを含むコネクタにおいて、前記４本のコンタクトのうち中間の２本のコンタクトとその両側の２本のコンタクトとにコンタクトの長手方向で位置が揃った折曲部を設け、前記長手方向での一端側及び他端側の各々で前記４本のコンタクトを一列に配置し、中間の２本のコンタクトの配列の中心から見て対称であるが、各コンタクトの中心から見て非対称となるように、前記４本のコンタクトの各々に切欠部を設けたことを特徴とするコネクタ。
【請求項１８】
コンタクト群と前記コンタクト群をインサートモールドにより保持したモールド材とを含むコネクタであって、前記コンタクト群は、互いに間隔をもって配列された二つのグランド用コンタクトと、前記グランド用コンタクトの間に配置されたペアの信号用コンタクトとを含み、前記グランド用コンタクトと前記信号用コンタクトとに対し、前記信号用コンタクトのペアの中心から見て対称であるがコンタクトの長手方向では異なる複数位置に、コンタクト幅を変化させる異形部を設けたことを特徴とするコネクタ。
【請求項１９】
前記４本のコンタクトのうち前記両側の２本のコンタクトは、前記中間の２本のコンタクトのピッチを広げる位置において、前記中間の２本のコンタクトから離間する逃げ部を設けたことを特徴とする、請求項１４から１８のいずれか一項に記載のコネクタ。
【発明の詳細な説明】
【技術分野】
【０００１】
本発明は、コンタクト群およびそれを用いたコネクタに関する。
【背景技術】
【０００２】
対をなす２本の信号線にそれぞれ逆位相の信号からなる差動信号対を伝送する差動伝送方式が知られている。その差動伝送方式はデータ伝送速度を高速にできるという特長をもつため、昨今では様々な分野において実用されている。
【０００３】
例えば機器と液晶ディスプレイとの間のデータ伝送に差動伝送方式を用いる場合には、機器及び液晶ディスプレイに、ディスプレイポート規格にしたがって設計されたディスプレイポートコネクタを備える。このディスプレイポート規格としては、VESA Display Port standard 1.0やそれのVersion 1.1aが知られている。
【０００４】
このディスプレイポートコネクタは差動信号用コネクタの一種であり、接続相手に接続するための第１の接続側と、機器や液晶ディスプレイの基板に接続するための第２の接続側とを有している。第１の接続側の形態は接続相手との関係があるためディスプレイポート規格により厳密に定められているが、第２の接続側の形態は比較的自由である。
【０００５】
この種の差動信号用コネクタは特許文献１に開示されている。その差動信号用コネクタの一例を図９及び図１０を参照して説明する。
【０００６】
図９に示すように、絶縁性のハウジング１に複数本の導電性のコンタクト２が紙面に垂直な方向に配列されて保持されている。
【０００７】
図１０は、コンタクト２の配列形態を示す。各コンタクト２はその両側面に突起部３を有する。突起部３はいずれも、コンタクト２の配列方向で対応する位置に形成されている。突起部３がハウジング１の内部に係合することで、コンタクト２はハウジング１に固定される。
【先行技術文献】
【特許文献】
【０００８】
【特許文献１】特許第４４３９５４０号公報（特開２００８−４１６５６号公報）
【発明の概要】
【発明が解決しようとする課題】
【０００９】
しかしながら、特許文献１に開示された形態の突起部は、次の理由によりコンタクトの狭ピッチ化の障害となる。
【００１０】
その理由の一つは、突起部がコンタクトの配列方向で対向するため、隣接するコンタクトの相互間隔を狭めることができないことである。
【００１１】
また理由の他の一つを次に説明する。コンタクトを一本ずつ製造するよりも複数本を纏めて製造することが生産性上有利である。その場合には、金属板にプレス加工を施し、連結部から同方向にのびた多数のリードを有する中間部材を打ち抜き形成することになるであろう。この種の中間部材をここではリードフレームと呼ぶ。しかし、そのリードフレームの製造において、コンタクトの狭ピッチ化を目指す場合、上述した突起部の対向間隔が狭くなると、プレス加工が困難になる。
【００１２】
それ故に本発明の目的は、コンタクトの保持を阻害することなくコンタクトの狭ピッチ化を可能にしたコネクタを提供することにある。
【課題を解決するための手段】
【００１３】
本発明の一態様によれば、コネクタのコンタクト群であって、互いに間隔をおいて配列された細長い４本のコンタクトを含み、前記４本のコンタクトはそれぞれコンタクト幅を変化させる異形部を有し、前記異形部の位置は、前記４本のコンタクトの配列の中心から見て対称であるが、コンタクトの長手方向で異なるものがあることを特徴とするコンタクト群が得られる。
【００１４】
本発明の他の態様によれば、前記コンタクト群と、前記コンタクト群をインサートモールドにより保持したモールド材とを含むことを特徴とするコネクタが得られる。
【００１５】
本発明のさらに他の様々な態様については、後文にて明らかにする。
【発明の効果】
【００１６】
本発明によれば、コンタクトの保持を阻害することなくコンタクトの狭ピッチ化を可能にしたコネクタを提供できる。
【図面の簡単な説明】
【００１７】
【図１】本発明の一実施形態に係るコネクタの外観斜視図。
【図２】図１のコネクタの分解斜視図。
【図３】図１のコネクタの一部品である上側コンタクト組立体（上側コンタクト組立体）の斜視図。
【図４】図３の上側コンタクト組立体に含まれたコンタクト群の一例を示す平面図。
【図５】図３の上側コンタクト組立体に含まれたコンタクト群の他例を示す平面図。
【図６】図１のコネクタの一部品である下側コンタクト組立体（下側コンタクト組立体）の断面斜視図。
【図７】図６の下側コンタクト組立体に含まれたコンタクト群のみの斜視図。
【図８】(ａ)は、図７に示すコンタクト群を１枚の金属板からプレス加工した状態の平面図、(ｂ)はそれを折り曲げた状態の３面図。
【図９】特許文献１（特開２００８−４１６５６号公報）に開示されているコネクタを説明するための断面図。
【図１０】図９のコネクタに含まれたコンタクト群を説明するための斜視図。
【発明を実施するための形態】
【００１８】
図１及び図２を参照して、本発明の実施形態に係るコネクタについて説明する。
【００１９】
図１及び図２に示すコネクタ１０はプリント基板などの取付対象に搭載される差動信号用コネクタであり、上側コンタクト組立体１１と、下側コンタクト組立体１２と、コネクタ１０を取付対象物に位置決めするためのロケータ１３と、上側及び下側コンタクト組立体１１，１２とロケータ１３とを纏めて囲った導電性のコネクタシェル１４とを含んでいる。
【００２０】
上側コンタクト組立体１１は、保持部材としてのモールド材からなる絶縁性の上側ハウジング１５と、上側ハウジング１５に配列保持された多数の導電性の上側コンタクト１６とを含んでいる。上側ハウジング１５は、前方にのびた嵌合突起１７を有している。
【００２１】
上側コンタクト１６の各々は、嵌合突起１７の上面に配列された水平部１６ａと、水平部１６ａの後端から上側ハウジング１５の後方に露出して下方に折れ曲がった折曲部１６ｂと、折曲部１６ｂから垂直下方にのびた垂直部１６ｃと、垂直部１６ｃの下端から直角に折れ曲がり、取付対象の上面の配線パターンにＳＭＴ構造により半田付けされる接続部１６ｄとを有している。
【００２２】
多数の上側コンタクト１６は、水平部１６ａの一部を上側ハウジング１５にインサートモールドにより保持されている。なお、水平部１６ａのうち、上側ハウジング１５に保持された部分を、ここでは保持部と呼ぶ。
【００２３】
下側コンタクト組立体１２は、保持部材としてのモールド材からなる絶縁性の下側ハウジング２１と、下側ハウジング２１に配列保持された多数の導電性の下側コンタクト２２とを含んでいる。下側ハウジング２１は、上側ハウジング１５との位置合わせを行うための対のポスト２１ａを有している。下側コンタクト２２の各々は、上側ハウジング１５の嵌合突起１７の下面に沿って配列される水平部２２ａと、水平部２２ａの後端から下側ハウジング２１の後方に露出して下方に折れ曲がった折曲部２２ｂと、折曲部２２ｂから垂直下方にのびた垂直部２２ｃとを有している。下側コンタクト２２の垂直部２２ｃの下端部は、取付対象に形成したスルーホールに挿入されて半田付け固定される端子部２２ｄとされている。
【００２４】
ロケータ１３は、取付対象の位置決め穴に嵌合する対の位置決めボス２３を下面に備えている。ロケータ１３の後面には、上側コンタクト１６の垂直部１６ｃと同じピッチをもって垂直に長くのびた平行な複数の溝２６が形成されている。これらの溝２６は、上側コンタクト１６の垂直部１６ｃが挿入される。
【００２５】
コネクタシェル１４は複数の固定用脚部１４ａ，１４ｂを有している。これらの固定用脚部１４ａ，１４ｂが取付対象に係合することにより、差動信号用コネクタ１０は取付対象にしっかりと固定される。
【００２６】
図４を参照して、上側コンタクト組立体１１に含まれたコンタクト群の一例について説明する。
【００２７】
図４のコンタクト群は、互いに離間配置された４本のグランド用コンタクト１６−１と、これらのグランド用コンタクト１６−１の間にそれぞれ２本ずつ離間配置された３ペアの信号用コンタクト１６−２とを含んでいる。各グランド用コンタクト１６−１はグランドラインの接続に使用され、各信号用コンタクト１６−２は信号ラインの接続に使用されるものである。グランド用コンタクト１６−１、信号用コンタクト１６−２、信号用コンタクト１６−２、及びグランド用コンタクト１６−１の順に並んだ４本のコンタクトを一つのコンタクトセット３１とし、このコンタクトセット３１が一部重複しつつ繰り返すことにより、コンタクト群を構成している。コンタクトセット３１はいずれも同じ構成であるため、ここではその一つについてのみ説明する。
【００２８】
中間の２本の信号用コンタクト１６−２とその両側の２本のグランド用コンタクト１６−１との全てにおいて、折曲部１６ｂはコンタクトの長手方向で揃った位置に設けられている。即ち、折曲部１６ｂはコンタクトの配列方向で一列に設けられている。こうして、コンタクトの長手方向での一端側（図４の下部側）では、コンタクトセット３１の４本のコンタクトを図３に示すように嵌合突起１７の上面に沿って一列に配置し、また他端側（図４の上部側）では、コンタクトセット３１の４本のコンタクトを図２に示すロケータ１３の溝２６内に挿入することでロケータ１３の背面に沿って一列に配置している。
【００２９】
またコンタクトセット３１の４本のコンタクトの各々は、図３の上側ハウジング１５にモールドインにより保持される保持部３２を有している。即ち、保持部３２が上側ハウジング１５に係合することで、コンタクト群が上側ハウジング１５にしっかりと保持される。
【００３０】
コンタクトの各々の保持部３２には、コンタクト幅を変化させる異形部の一種として複数、即ち、二つの突起部３３を設けている。これらの突起部３３は、各コンタクトについてはその中心から見て対称となるように、コンタクトの両側面の対応した位置に一体に形成されている。またコンタクトの長手方向における突起部３３の形成位置は、グランド用コンタクト１６−１と信号用コンタクト１６−２とで異なっている。図示例ではグランド用コンタクト１６−１の突起部３３が保持部３２における折曲部１６ｂに近い側に形成されと共に、信号用コンタクト１６−２の突起部３３が保持部３２における折曲部１６ｂから遠い側に形成されているが、これとは逆に形成されてもよい。とにかく、中間の２本の信号用コンタクト１６−２の配列の中心から見て、即ち、４本のコンタクトの配列の中心から見て、突起部３３は対称に形成されている。
【００３１】
このように突起部３３は対称に形成されているので、４本のコンタクトからなる差動信号伝送路としての対称性が維持され、したがって、これらの突起部３３を設けたことによりコネクタの高周波特性を悪化させることはない。また、突起部３３はコンタクトの長手方向で異なる複数箇所に分かれて形成されているため、コンタクトの隣接したもの間の間隔を比較的広くとることができ、したがって、プレス加工の適用も容易である。
【００３２】
図５を参照して、上側コンタクト組立体１１に含まれたコンタクト群の他例について説明する。図４と同様な部分ついては、同じ参照符号を付して説明を省略する。
【００３３】
図５のコンタクト群においても、中間の２本の信号用コンタクト１６−２とその両側の２本のグランド用コンタクト１６−１との全てにおいて、折曲部１６ｂはコンタクトの長手方向で揃った位置に設けられている。即ち、折曲部１６ｂはコンタクトの配列方向で一列に設けられている。こうして、コンタクトの長手方向での一端側（図５の下部側）では、コンタクトセット３１の４本のコンタクトを図３に示すように嵌合突起１７の上面に沿って一列に配置し、また他端側（図５の上部側）では、コンタクトセット３１の４本のコンタクトを図２に示すロケータ１３の溝２６内に挿入することでロケータ１３の背面に沿って一列に配置している。
【００３４】
コンタクトの各々の保持部３２には、コンタクト幅を変化させる異形部の一種として複数、即ち、二つの切欠き３４を設けている。これらの切欠き３４はコンタクトの両側面に設けられているが、各コンタクトについてはその中心から見て非対称となるように、コンタクトの長手方向で異なる位置に形成されている。またコンタクトの長手方向における切欠き３４の形成位置は、隣り合うコンタクト間で異なっている。とにかく、中間の２本の信号用コンタクト１６−２の配列の中心から見て、即ち、４本のコンタクトの配列の中心から見て、切欠き３４は対称に形成されている。
【００３５】
このように切欠き３４は対称に形成されているので、４本のコンタクトからなる差動信号伝送路としての対称性が維持され、したがって、これらの切欠き３４を設けたことによりコネクタの高周波特性を悪化させることはない。また、切欠き３４はコンタクトの長手方向で異なる複数箇所に分かれて形成されているため、コンタクトの隣接したもの間の間隔を比較的広くとることができ、したがって、プレス加工の適用も容易である。
【００３６】
図６及び図７を参照して、下側コンタクト組立体１２に含まれたコンタクト群の一例について説明する。
【００３７】
図６及び図７に示すコンタクト群は、互いに離間配置された４本のグランド用コンタクト２２−１と、これらのグランド用コンタクト２２−１の間にそれぞれ２本ずつ離間配置された３ペアの信号用コンタクト２２−２とを含んでいる。各グランド用コンタクト２２−１はグランドラインの接続に使用され、各信号用コンタクト２２−２は信号ラインの接続に使用されるものである。グランド用コンタクト２２−１、信号用コンタクト２２−２、信号用コンタクト２２−２、及びグランド用コンタクト２２−１の順に並んだ４本のコンタクトを一つのコンタクトセット４１とし、このコンタクトセット４１が一部重複しつつ繰り返すことにより、コンタクト群を構成している。コンタクトセット４１はいずれも同じ構成であるため、ここではその一つについてのみ説明する。
【００３８】
中間の２本の信号用コンタクト２２−２とその両側の２本のグランド用コンタクト２２−１とでは、折曲部２２ｂがコンタクトの長手方向で異なる位置に設けられている。こうして、コンタクトの長手方向での一端側（図６の左上部側）では、コンタクトセット４１の４本のコンタクトを一面に沿って一列に配置し、また他端側（図６の右下部側）では、信号用コンタクト２２−２と両側の２本のグランド用コンタクト２２−１とを異なる列に配置している。しかも、４本のコンタクトのうち中間の２本の信号用コンタクト２２−２のピッチを、コンタクトの一端側に比べて他端側で大になしている。
【００３９】
またコンタクトセット４１の４本のコンタクトの各々は、下側ハウジング２１にモールドインにより保持される保持部４２を有している。即ち、保持部４２が下側ハウジング２１に係合することで、コンタクト群が下側ハウジング２１にしっかりと保持される。
【００４０】
コンタクトの各々の保持部４２には、コンタクト幅を変化させる異形部の一種として複数、即ち、二つの突起部４３を設けている。これらの突起部４３は、図４に示したコンタクト群における突起部３３と同様である。
【００４１】
下側コンタクト組立体１２に含まれたコンタクト群の突起部４３も対称に形成されているので、４本のコンタクトからなる差動信号伝送路としての対称性が維持され、したがって、これらの突起部４３を設けたことによりコネクタの高周波特性を悪化させることはない。また、突起部４３はコンタクトの長手方向で異なる複数箇所に分かれて形成されているため、コンタクトの隣接したもの間の間隔を比較的広くとることができ、したがって、プレス加工の適用も容易である。
【００４２】
また、下側コンタクト組立体１２に含まれたコンタクト群においても、突起部４３の代わりに、図５に示したコンタクト群における切欠き３４と同様な切欠きを設けることができ、その場合にも同様な作用効果が得られるのは言うまでもない。
【００４３】
図８(ａ)は、図７に示すコンタクト群を１枚の金属板からプレス加工した状態の平面図であり、図８(ｂ)はそれを折り曲げた状態の３面図である。コンタクトセット４１のうち、中間の２本の信号用コンタクト２２―２のピッチを広げる位置において、両側の２本のグランド用コンタクト２２―１は信号用コンタクト２２―２から離間する逃げ部４４を設けている。この結果、逃げ部４４を設けた部分では、信号用コンタクト２２―２とグランド用コンタクト２２―１との間隔が広くなるため、プレス加工による形成が容易である。
【００４４】
なお、本発明は上記実施形態に限られることはなく、またその一部又は全部は以下の付記のようにも記載され得るがそれらには限られない。
【００４５】
（付記１）
コネクタ１０のコンタクト群であって、互いに間隔をおいて配列された細長い４本のコンタクト１６−１，１６−２，２２−１，２２−２を含み、前記４本のコンタクトはそれぞれコンタクト幅を変化させる異形部３３，３４，４３を有し、前記異形部の位置は、前記４本のコンタクトの配列の中心から見て対称であるが、コンタクトの長手方向で異なるものがあることを特徴とするコンタクト群。
【００４６】
（付記２）
前記４本のコンタクトのうち中間の２本のコンタクト２２−２とその両側の２本のコンタクト２２−１とに前記長手方向で位置が異なる折曲部２２ｂを設け、前記一端側では前記４本のコンタクトを一列に配置すると共に、前記他端側では中間の２本のコンタクトと両側の２本のコンタクトとを異なる列に配置した、付記１に記載のコンタクト群。
【００４７】
（付記３）
前記４本のコンタクトのうち中間の２本のコンタクト２２−２のピッチを、前記長手方向における一端側に比べて他端側で大になした、付記２に記載のコンタクト群。
【００４８】
（付記４）
前記ピッチを大にした部分を、前記折曲部よりも前記他端側に設けた、付記３に記載のコンタクト群。
【００４９】
（付記５）
前記異形部は、前記コンタクトの各々の幅を広げる突起部３３，４３である、付記１から４のいずれか一項に記載のコンタクト群。
【００５０】
（付記６）
前記突起部は、前記長手方向での位置が、中間の２本のコンタクト１６−２，２２−２とその両側のコンタクト１６−１，２２−１とで異なっている、付記５に記載のコンタクト群。
【００５１】
（付記７）
前記突起部は、前記コンタクトの各々にその中心から見て対称に複数形成されている、付記５又は６に記載のコンタクト群。
【００５２】
（付記８）
前記異形部は、前記コンタクトの各々の幅を狭める切欠部３４である、付記１に記載のコンタクト群。
【００５３】
（付記９）
前記切欠部は、前記長手方向での位置が、中間の２本のコンタクト１６−２とその両側のコンタクト１６−１とで異なっている、付記８に記載のコンタクト群。
【００５４】
（付記１０）
前記切欠部は、前記コンタクトの各々にその中心から見て非対称に複数形成されている、付記８又は９に記載のコンタクト群。
【００５５】
（付記１１）
付記１から１０のいずれか一項に記載のコンタクト群と、前記コンタクト群をインサートモールドにより保持したモールド材とを含むことを特徴とするコネクタ。
【００５６】
（付記１２）
互いに間隔をおいて配列された細長い４本のコンタクト１６−１，１６−２，２２−１，２２−２を含むコネクタにおいて、前記４本のコンタクトはそれぞれコンタクト幅を増大させる突起部３３，４３を有し、前記突起部は、中間の２本のコンタクト１６−２，２２−２の中心から見て対称であるが、中間の２本のコンタクト１６−２，２２−２とその両側の２本のコンタクト１６−１，２−１とではコンタクトの長手方向で異なる位置に設けられていることを特徴とするコネクタ。
【００５７】
（付記１３）
互いに間隔をおいて配列された細長い４本のコンタクト１６−１，１６−２，２２−１，２２−２を含むコネクタにおいて、前記４本のコンタクトはそれぞれコンタクト幅を減少させる切欠部３４を有し、前記切欠部は、中間の２本のコンタクト１６−２，２２−２の中心から見て対称であるが、各コンタクト内ではコンタクトの長手方向で異なる位置に複数設けられていることを特徴とするコネクタ。
【００５８】
（付記１４）
互いに間隔をおいて配列された細長い４本のコンタクト２２−１，２２−２を含むコネクタにおいて、前記４本のコンタクトのうち中間の２本のコンタクト２２−２とその両側の２本のコンタクト２２−１とにコンタクトの長手方向で位置が異なる折曲部２２ｂを設け、前記長手方向での一端側では前記４本のコンタクトを一列に配置すると共に、前記長手方向での他端側では中間の２本のコンタクト２２−２と両側の２本のコンタクト２２−１とが異なる列に配置し、中間の２本のコンタクト２２−２の配列の中心から見て対称であり、かつ、各コンタクトの中心から見ても対称となるように、前記４本のコンタクトの各々に突起部を設けたことを特徴とするコネクタ。
【００５９】
（付記１５）
互いに間隔をおいて配列された細長い４本のコンタクト２２−１，２２−２を含むコネクタにおいて、前記４本のコンタクトのうち中間の２本のコンタクト２２−２とその両側の２本のコンタクト２２−１とにコンタクトの長手方向で位置が異なる折曲部２２ｂを設け、前記長手方向での一端側では前記４本のコンタクトが一列に配置すると共に、前記長手方向での他端側では中間の２本のコンタクト２２−２と両側の２本のコンタクト２２−１とが異なる列に配置し、中間の２本のコンタクト２２−２の配列の中心から見て対称であるが、各コンタクトの中心から見て非対称となるように、前記４本のコンタクトの各々に切欠部を設けたことを特徴とするコネクタ。
【００６０】
（付記１６）
互いに間隔をおいて配列された細長い４本のコンタクト１６−１，１６−２を含むコネクタにおいて、前記４本のコンタクトのうち中間の２本のコンタクト１６−２とその両側の２本のコンタクト１６−１とにコンタクトの長手方向で位置が揃った折曲部１６ｂを設け、前記長手方向での一端側及び他端側の各々で前記４本のコンタクトを一列に配置し、中間の２本のコンタクト１６−２の配列の中心から見て対称であり、かつ、各コンタクトの中心から見ても対称となるように、前記４本のコンタクトの各々に突起部を設けたことを特徴とするコネクタ。
【００６１】
（付記１７）
互いに間隔をおいて配列された細長い４本のコンタクト１６−１，１６−２を含むコネクタにおいて、前記４本のコンタクトのうち中間の２本のコンタクト１６−２とその両側の２本のコンタクト１６−１とにコンタクトの長手方向で位置が揃った折曲部１６ｂを設け、前記長手方向での一端側及び他端側の各々で前記４本のコンタクトを一列に配置し、中間の２本のコンタクト１６−２の配列の中心から見て対称であるが、各コンタクトの中心から見て非対称となるように、前記４本のコンタクトの各々に切欠部を設けたことを特徴とするコネクタ。
【００６２】
（付記１８）
コンタクト群と前記コンタクト群をインサートモールドにより保持したモールド材１５，２１とを含むコネクタ１０であって、前記コンタクト群は、互いに間隔をもって配列された二つのグランド用コンタクト１６−１，２２−１と、前記グランド用コンタクトの間に配置されたペアの信号用コンタクト１６−２，２２−２とを含み、前記グランド用コンタクトと前記信号用コンタクトとに対し、前記信号用コンタクトのペアの中心から見て対称であるがコンタクトの長手方向では異なる複数位置に、コンタクト幅を変化させる異形部３３，３４を設けたことを特徴とするコネクタ。
【００６３】
（付記１９）
前記４本のコンタクトのうち前記両側の２本のコンタクトは、前記中間の２本のコンタクトのピッチを広げる位置において、前記中間の２本のコンタクトから離間する逃げ部４４を設けたことを特徴とする、付記１４から１８のいずれか一項に記載のコネクタ。
【符号の説明】
【００６４】
１  ハウジング
２  コンタクト
３  突起部
１０  コネクタ
１１  上側コンタクト組立体
１２  下側コンタクト組立体
１３  ロケータ
１４  コネクタシェル
１４ａ，１４ｂ  固定用脚部
１５  上側ハウジング
１６  上側コンタクト
１７  嵌合突起
１６ａ  水平部
１６ｂ  折曲部
１６ｃ  垂直部
１６ｄ  接続部
２１  下側ハウジング
２２  下側コンタクト
２１ａ  ポスト
２２ａ  水平部
２２ｂ  折曲部
２２ｃ  垂直部
２２ｄ  端子部
２３  ボス
２５  貫通孔
２６  溝
１６−１  グランド用コンタクト
１６−２  信号用コンタクト
３１  コンタクトセット
３２  保持部
３３  突起部
３４  切欠き
２２−１  グランド用コンタクト
２２−２  信号用コンタクト
４１  コンタクトセット
４２  保持部
４３  突起部
４４  逃げ部
【図１】
2013084472.tif 000003
【図２】
2013084472.tif 000004
【図３】
2013084472.tif 000005
【図４】
2013084472.tif 000006
【図５】
2013084472.tif 000007
【図６】
2013084472.tif 000008
【図７】
2013084472.tif 000009
【図８】
2013084472.tif 000010
【図９】
2013084472.tif 000011
【図１０】
2013084472.tif 000012